(57)【特許請求の範囲】
【請求項１】
ページ記述言語データに基づいて印刷加工しようとする印刷物の面付け情報を取得する面付け情報取得部と、
前記面付け情報取得部により取得された前記面付け情報に従って、前記ページ記述言語データを面付けして面付けデータを作成する面付け処理部と、
前記面付け処理部により作成された前記面付けデータをＲＩＰ処理してラスタ形式データに変換するＲＩＰ処理部と、
前記ＲＩＰ処理部により変換された前記ラスタ形式データから複数のページ領域に応じた各ページデータを切り出すページ切出処理部と、
前記印刷物の三次元形状モデルを決定する形状モデル決定部と、
前記形状モデル決定部により決定された前記三次元形状モデルのうち前記複数のページ領域に対応する各モデル領域上に、前記ページ切出処理部により切り出された各前記ページデータをマッピングして前記印刷物の三次元プレビューデータを作成するプレビューデータ作成部と、
前記プレビューデータ作成部により作成された前記三次元プレビューデータに基づいて前記印刷物の三次元プレビュー画像を表示する表示部と、
前記面付けデータが表す２つ以上のページのうち複数のページ番号を選択するページ選択部と
を有し、
前記表示部は、前記ページ選択部により選択された前記複数のページ番号の各ページデータを表す画像を表示し、且つ、残余のページ番号の各ページデータを表す画像を表示しないで前記三次元プレビュー画像を表示する
ことを特徴とする画像編集装置。
【請求項２】
請求項１記載の画像編集装置において、
前記プレビューデータ作成部は、前記残余のページ番号に対応する前記三次元プレビューデータとして、非表示である旨を示す余白領域又はマークを示すデータを作成する
ことを特徴とする画像編集装置。
【請求項３】
請求項１又は２記載の画像編集装置において、
前記ページ選択部は、複数の折り丁からなる前記２つ以上のページから、通算ページ単位、折り丁毎のページ単位、又は折り丁単位のいずれか１つの単位で前記複数のページ番号を選択する
ことを特徴とする画像編集装置。
【請求項４】
請求項１〜３のいずれか１項に記載の画像編集装置において、
前記三次元プレビュー画像として裁ち落とし領域を併せて表示するか否かを選択する裁ち落とし要否選択部を有し、
前記表示部は、前記裁ち落とし要否選択部による選択結果に応じて前記裁ち落とし領域を表示し又は表示しないで前記三次元プレビュー画像を表示する
ことを特徴とする画像編集装置。
【請求項５】
請求項４記載の画像編集装置において、
前記ページ切出処理部は、前記裁ち落とし要否選択部による選択結果に関わらず前記裁ち落とし領域を含めて各前記ページデータを切り出し、
前記プレビューデータ作成部は、前記裁ち落とし要否選択部による選択に応じて前記裁ち落とし領域を含めて又は含めないで前記印刷物の三次元プレビューデータを作成する
ことを特徴とする画像編集装置。
【請求項６】
請求項１〜５のいずれか１項に記載の画像編集装置において、
コントーン表示又は分版表示のいずれか一方の階調表示方法を選択する階調表示方法選択部を有し、
前記表示部は、前記階調表示方法選択部による選択結果に応じて前記コントーン表示又は分版表示により前記三次元プレビュー画像を表示する
ことを特徴とする画像編集装置。
【請求項７】
請求項６記載の画像編集装置において、
前記階調表示方法選択部は、前記分版表示に用いるＣ版、Ｍ版、Ｙ版、Ｋ版又は特色版のうち少なくとも１つの色版をさらに選択する
ことを特徴とする画像編集装置。
【請求項８】
請求項７記載の画像編集装置において、
前記表示部は、前記階調表示方法選択部により複数の色版が選択される場合、該複数の色版が重畳された前記三次元プレビュー画像を表示する
ことを特徴とする画像編集装置。
【請求項９】
請求項１〜８のいずれか１項に記載の画像編集装置において、
前記プレビューデータ作成部は、前記面付け情報に応じて前記三次元形状モデルを調整する
ことを特徴とする画像編集装置。
【請求項１０】
請求項９記載の画像編集装置において、
前記プレビューデータ作成部は、各前記ページデータを所定の解像度に合わせて変換する
ことを特徴とする画像編集装置。
【請求項１１】
請求項１〜１０のいずれか１項に記載の画像編集装置において、
前記ページ切出処理部は、所定のページ領域を超える大サイズのページ記述言語データを前記面付け情報に従って各前記ページデータ毎に分割して切り出す
ことを特徴とする画像編集装置。
【請求項１２】
請求項１１記載の画像編集装置において、
前記大サイズのページ記述言語データをページ毎に分割する境界線の線数及び境界線の位置を前記面付け情報に基づいて算出する分割位置算出部を有し、
前記ページ切出処理部は、前記分割位置算出部により算出された前記境界線の位置に従って各前記ページデータを切り出す
ことを特徴とする画像編集装置。
【請求項１３】
請求項１２記載の画像編集装置において、
前記境界線の位置を調整する分割位置調整部を有する
ことを特徴とする画像編集装置。
【請求項１４】
ページ記述言語データに基づいて印刷加工しようとする印刷物の面付け情報を取得する取得ステップと、
取得された前記面付け情報に従って、前記ページ記述言語データを面付けして面付けデータを作成する面付けステップと、
作成された前記面付けデータをＲＩＰ処理してラスタ形式データに変換するＲＩＰ処理ステップと、
変換された前記ラスタ形式データから複数のページ領域に応じた各ページデータを切り出す切出ステップと、
前記印刷物の三次元形状モデルを決定する決定ステップと、
決定された前記三次元形状モデルのうち前記複数のページ領域に対応する各モデル領域上に、切り出された各前記ページデータをマッピングして前記印刷物の三次元プレビューデータを作成する作成ステップと、
作成された前記三次元プレビューデータに基づいて前記印刷物の三次元プレビュー画像を表示する表示ステップと、
前記面付けデータが表す２つ以上のページのうち複数のページ番号を選択する選択ステップと
を備え、
前記表示ステップでは、選択された前記複数のページ番号の各ページデータを表す画像を表示し、且つ、残余のページ番号の各ページデータを表す画像を表示しないで前記三次元プレビュー画像を表示する
ことを特徴とする画像編集方法。
【請求項１５】
コンピュータを、
ページ記述言語データに基づいて印刷加工しようとする印刷物の面付け情報を取得する手段、
取得された前記面付け情報に従って、前記ページ記述言語データを面付けして面付けデータを作成する手段、
作成された前記面付けデータをＲＩＰ処理してラスタ形式データに変換する手段、
変換された前記ラスタ形式データから複数のページ領域に応じた各ページデータを切り出す手段、
前記印刷物の三次元形状モデルを決定する手段、
決定された前記三次元形状モデルのうち前記複数のページ領域に対応する各モデル領域上に、切り出された各前記ページデータをマッピングして前記印刷物の三次元プレビューデータを作成する手段、
作成された前記三次元プレビューデータに基づいて前記印刷物の三次元プレビュー画像を表示させる表示指示手段、
前記面付けデータが表す２つ以上のページのうち複数のページ番号を選択する選択手段と
として機能させ、
前記表示指示手段は、選択された前記複数のページ番号の各ページデータを表す画像を表示させ、且つ、残余のページ番号の各ページデータを表す画像を表示しないで前記三次元プレビュー画像を表示させる
ことを特徴とするプログラム。
【発明の詳細な説明】
【技術分野】
【０００１】
この発明は、画像編集装置、画像編集方法及びプログラムに関する。
【背景技術】
【０００２】
近時、印刷製版の分野において、中間成果物を生成せずに電子データにより直接刷版を形成するＣＴＰ（Ｃｏｍｐｕｔｅｒ  Ｔｏ  Ｐｌａｔｅ）が普及している。このＣＴＰ用データを用いて校正作業を効率的に行うため、校正支援ツールが種々提案されている。
【０００３】
校正工程には、印刷物の加工形態に関わる確認作業が含まれる。具体的な項目として、例えば、レイアウト、面付け、折り、断裁位置等が挙げられる。この確認作業を容易にするため、印刷物の加工形態を考慮して印刷データ画像を表示する技術が種々開示されている。
【０００４】
例えば、特許文献１には、紙折り方法の指示に応じたテンプレート画像に印刷データ画像を合成し、得られたプレビュー画像を表示する装置及び方法が開示されている。これにより、紙折り後の印刷物上での印刷画像の配置を事前に確認できる旨が記載されている。
【０００５】
また、特許文献２には、印刷データ画像のレイアウト及び出力形態をプレビュー表示する装置及び方法が開示されている。これにより、様々な印刷機能を反映したプレビューを表示できる旨が記載されている。
【先行技術文献】
【特許文献】
【０００６】
【特許文献１】特開２００８−３０２５１８号公報
【特許文献２】特開２００４−１０２６１４号公報
【発明の概要】
【発明が解決しようとする課題】
【０００７】
ところで、作業者による校正作業が完了した後、次の印刷工程に移行する前にクライアント（発注者）からの承認を得る場合がある。このとき、クライアントは、校正機を用いて印刷した校正刷りを目視で確認した上で、印刷工程への移行の可否を判断する。このような場合、印刷物の最終形態になるべく近い状態で確認を行いたいという潜在的ニーズがある。
【０００８】
しかし、特許文献１及び２に開示された装置及び方法は、特に面付け・折りを簡易に確認することを主目的としており、実際の印刷データ（版下データ）を用いていない。そのため、印刷物の最終形態との乖離が生じ、レイアウトや断裁を含む他の項目の最終確認に用いることには適さなかった。
【０００９】
本発明はこのような課題を考慮してなされたものであり、印刷物の加工形態を精度良く予測可能であり、校正時の作業効率を飛躍的に向上可能である画像編集装置、画像編集方法及びプログラムを提供することを目的とする。
【課題を解決するための手段】
【００１０】
本発明に係る画像編集装置は、ページ記述言語データに基づいて印刷加工しようとする印刷物の面付け情報を取得する面付け情報取得部と、前記面付け情報取得部により取得された前記面付け情報に従って、前記ページ記述言語データを面付けして面付けデータを作成する面付け処理部と、面付け処理部により作成された前記面付けデータをＲＩＰ処理してラスタ形式データに変換するＲＩＰ処理部と、前記ＲＩＰ処理部により変換された前記ラスタ形式データから複数のページ領域に応じた各ページデータを切り出すページ切出処理部と、前記印刷物の三次元形状モデルを決定する形状モデル決定部と、前記形状モデル決定部により決定された前記三次元形状モデルのうち前記複数のページ領域に対応する各モデル領域上に、前記ページ切出処理部により切り出された各前記ページデータをマッピングして前記印刷物の三次元プレビューデータを作成するプレビューデータ作成部と、前記プレビューデータ作成部により作成された前記三次元プレビューデータに基づいて前記印刷物の三次元プレビュー画像を表示する表示部とを有することを特徴とする。
【００１１】
このように、ラスタ形式データから複数のページ領域に応じた各ページデータを切り出すページ切出処理部と、印刷物の三次元形状モデルを決定する形状モデル決定部と、決定された前記三次元形状モデルのうち前記複数のページ領域に対応する各モデル領域上に、切り出された各前記ページデータをマッピングして前記印刷物の三次元プレビューデータを作成するデータ作成部とを設けたので、実際に印刷しようとする面付けデータ及び加工形態に近い条件下でプレビュー画像を作成し表示することが可能であり、印刷物の加工形態を精度良く予測できる。これにより、校正作業の効率が飛躍的に向上する。
【００１２】
また、前記面付けデータが表す複数のページのうち少なくとも１つのページを選択するページ選択部を有し、前記表示部は、前記ページ選択部により選択された前記少なくとも１つのページの各ページデータを表す画像を表示し、且つ、残余のページの各ページデータを表す画像を表示しないで前記三次元プレビュー画像を表示することが好ましい。
【００１３】
さらに、前記ページ選択部は、複数の折り丁からなる前記複数のページから、通算ページ単位、折り丁毎のページ単位、又は折り丁単位のいずれか１つの単位で前記少なくとも１つのページを選択することが好ましい。
【００１４】
さらに、前記三次元プレビュー画像として裁ち落とし領域を併せて表示するか否かを選択する裁ち落とし要否選択部を有し、前記表示部は、前記裁ち落とし要否選択部による選択結果に応じて前記裁ち落とし領域を表示し又は表示しないで前記三次元プレビュー画像を表示することが好ましい。
【００１５】
さらに、前記ページ切出処理部は、前記裁ち落とし要否選択部による選択結果に関わらず前記裁ち落とし領域を含めて各前記ページデータを切り出し、前記プレビューデータ作成部は、前記裁ち落とし要否選択部による選択に応じて前記裁ち落とし領域を含めて又は含めないで前記印刷物の三次元プレビューデータを作成することが好ましい。
【００１６】
さらに、コントーン表示又は分版表示のいずれか一方の階調表示方法を選択する階調表示方法選択部を有し、前記表示部は、前記階調表示方法選択部による選択結果に応じて前記コントーン表示又は分版表示により前記三次元プレビュー画像を表示することが好ましい。
【００１７】
さらに、前記階調表示方法選択部は、前記分版表示に用いるＣ版、Ｍ版、Ｙ版、Ｋ版又は特色版のうち少なくとも１つの色版をさらに選択することが好ましい。
【００１８】
さらに、前記表示部は、前記階調表示方法選択部により複数の色版が選択される場合、該複数の色版が重畳された前記三次元プレビュー画像を表示することが好ましい。
【００１９】
さらに、前記プレビューデータ作成部は、前記面付け情報に応じて前記三次元形状モデルを調整することが好ましい。
【００２０】
さらに、前記プレビューデータ作成部は、各前記ページデータを所定の解像度に合わせて変換することが好ましい。
【００２１】
さらに、前記ページ切出処理部は、所定のページ領域を超える大サイズのページ記述言語データを前記面付け情報に従って各前記ページデータ毎に分割して切り出すことが好ましい。
【００２２】
さらに、前記大サイズのページ記述言語データをページ毎に分割する境界線の線数及び境界線の位置を前記面付け情報に基づいて算出する分割位置算出部を有し、前記ページ切出処理部は、前記分割位置算出部により算出された前記境界線の位置に従って各前記ページデータを切り出すことが好ましい。
【００２３】
さらに、前記境界線の位置を調整する分割位置調整部を有することが好ましい。
【００２４】
本発明に係る画像編集方法は、ページ記述言語データに基づいて印刷加工しようとする印刷物の面付け情報を取得する取得ステップと、取得された前記面付け情報に従って、前記ページ記述言語データを面付けして面付けデータを作成する面付けステップと、作成された前記面付けデータをＲＩＰ処理してラスタ形式データに変換するＲＩＰ処理ステップと、変換された前記ラスタ形式データから複数のページ領域に応じた各ページデータを切り出す切出ステップと、前記印刷物の加工形態に応じた三次元形状モデルを決定する決定ステップと、決定された前記三次元形状モデルのうち前記複数のページ領域に対応する各モデル領域上に、切り出された各前記ページデータをマッピングして前記印刷物の三次元プレビューデータを作成する作成ステップと、作成された前記三次元プレビューデータに基づいて前記印刷物の三次元プレビュー画像を表示する表示ステップとを備えることを特徴とする。
【００２５】
本発明に係るプログラムは、コンピュータを、ページ記述言語データに基づいて印刷加工しようとする印刷物の面付け情報を取得する手段、取得された前記面付け情報に従って、前記ページ記述言語データを面付けして面付けデータを作成する手段、作成された前記面付けデータをＲＩＰ処理してラスタ形式データに変換する手段、変換された前記ラスタ形式データから複数のページ領域に応じた各ページデータを切り出す手段、前記印刷物の加工形態に応じた三次元形状モデルを決定する手段、決定された前記三次元形状モデルのうち前記複数のページ領域に対応する各モデル領域上に、切り出された各前記ページデータをマッピングして前記印刷物の三次元プレビューデータを作成する手段、作成された前記三次元プレビューデータに基づいて前記印刷物の三次元プレビュー画像を表示させる手段として機能させることを特徴とする。
【発明の効果】
【００２６】
本発明に係る画像編集装置、画像編集方法及びプログラムによれば、ラスタ形式データから複数のページ領域に応じた各ページデータを切り出し、印刷物の三次元形状モデルのうち前記複数のページ領域に対応する各モデル領域上に、切り出された各前記ページデータをマッピングして前記印刷物の三次元プレビューデータを作成するようにしたので、実際に印刷しようとする版下データ及び加工形態に近い条件下でプレビュー画像を作成し表示することが可能であり、印刷物の加工形態を精度良く予測できる。これにより、校正作業の効率が飛躍的に向上する。
【図面の簡単な説明】
【００２７】
【図１】本実施の形態に係る画像編集装置が組み込まれた印刷システムの概略説明図である。
【図２】図１に示す画像編集装置の機能ブロック図である。
【図３】図１に示す印刷システムを用いた印刷ワークフローのフローチャートである。
【図４】図４Ａ及び図４Ｂは、仮想印刷物の３Ｄプレビュー画面の第１変化を表す概略説明図である。
【図５】図５Ａ〜図５Ｃは、仮想印刷物の３Ｄプレビュー画面の第２変化を表す概略説明図である。
【図６】図３の入稿・編集ステップにおける画像編集装置の動作を説明するためのフローチャートである。
【図７】面付けパターンの選択画面を表す第１の図である。
【図８】図７に示す表示欄の部分拡大図である。
【図９】面付けパターンの選択画面を表す第２の図である。
【図１０】面付けパターンの選択画面を表す第３の図である。
【図１１】ページ配置順番の設定画面を表す図である。
【図１２】図６の３Ｄプレビュー表示ステップにおける画像編集装置の動作を説明するためのフローチャートである。
【図１３】ラスタ形式の面付けデータの描画例を表す概略説明図である。
【図１４】ラスタ形式の面付けデータからページデータを切り出した描画状態を表す概略説明図である。
【図１５】ページ分割の設定画面を表す図である。
【図１６】端物の３Ｄ形状モデルの概略斜視図である。
【図１７】本の３Ｄ形状モデルの概略斜視図である。
【発明を実施するための形態】
【００２８】
以下、本発明に係る画像編集方法についてそれを実施する画像編集装置並びに印刷システムとの関係において好適な実施形態を挙げ、添付の図面を参照しながら詳細に説明する。
【００２９】
図１は、本実施の形態に係る画像編集装置２０が組み込まれた印刷システム１０の概略説明図である。
【００３０】
印刷システム１０は、製版サイト１２と、印刷サイト１４と、データベースサーバ１６と、ＬＡＮ１８とを基本的に備える。製版サイト１２は、画像編集装置２０と、校正機２２とを備える。
【００３１】
画像編集装置２０は、ページ記述言語（以下、ＰＤＬという。）による製版データあるいは編集工程下の編集データ、例えば、４色（ＣＭＹＫ）や３色（ＲＧＢ）のカラーチャンネルからなるＰＤＬ形式データを生成する。
【００３２】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３３】
画像編集装置２０は、ＰＤＬ形式データに対して、所望の画像処理、例えばプレフライト処理、色変換処理や配置処理等を行い、ラスタ形式の画像データ（例えば、ビットマップやＴＩＦＦ）に変換し、校正機２２の印刷方式に適した印刷制御信号に変換し、前記校正機２２に前記印刷制御信号を送信する各機能を有している。
【００３４】
画像編集装置２０は、仮想印刷物の３Ｄ画像（三次元画像）を表示部２８に表示させる。ここで、仮想印刷物とは、実際に製本しようとする形態下で、ページ毎のデータ内容を閲覧可能である仮想的な印刷物をいう。なお、本実施の形態では、３Ｄ画像として三次元コンピュータグラフィックス（以下、３ＤＣＧという。）を適用している。三次元画像の種別はこれに限られず、例えば立体視画像を用いてもよい。例えば、並置方式、画像分離方式、視差分割方式、偏光表示方式等の各方式に適した、既知の画像処理技術を用いることができる。
【００３５】
画像編集装置２０は、本体２６と、表示部２８と、入力部３０（キーボード３２及びマウス３４）とを備える。ポインティングデバイスとしてのマウス３４に代替し、トラックパッドやトラックボールを用いてもよい。
【００３６】
校正機２２は、校正するための校正刷り２４を得る出力装置である。校正機２２として、オフセット印刷機と同等の印刷性能を備えるＤＤＣＰ（Ｄｉｒｅｃｔ  Ｄｉｇｉｔａｌ  Ｃｏｌｏｒ  Ｐｒｏｏｆｅｒ）、インクジェットカラープルーファ、低解像度のカラーレーザプリンタ（電子写真方式）やインクジェットプリンタ等が用いられる。
【００３７】
データベースサーバ１６は、校正作業が完了した製版データファイル（ＴＩＦＦファイルやＰＤＦファイル等）やジョブチケット｛例えば、ＪＤＦ（Ｊｏｂ  Ｄｉｆｉｎｉｔｉｏｎ  Ｆｏｒｍａｔ）ファイル｝の保存や管理等を行うためのサーバである。
【００３８】
ＬＡＮ１８は、イーサネット（登録商標）等の通信規格に基づいて構築されているネットワークである。製版サイト１２と、印刷サイト１４と、データベースサーバ１６とは相互に接続されている。製版サイト１２と印刷サイト１４とは異なる作業場に設けられているので、製版サイト１２内での製版工程と印刷サイト１４内での印刷工程とがＬＡＮ１８を介して行われる。
【００３９】
印刷サイト１４は、データベースサーバ１６から取得した製版データファイルに対して所望の画像処理を行う画像処理装置、刷版を作成するためのプレートセッタ、所望のカラー・モノクロ画像を各種メディアに印刷するオフセット印刷機やデジタル印刷機等を備えている。
【００４０】
図２は、図１に示す画像編集装置２０の機能ブロック図である。
【００４１】
本体２６は、Ｉ／Ｆ３６と、入稿データ編集部３８と、画像処理部４０と、制御部４２と、表示制御部４４と、Ｉ／Ｆ４６と、印刷制御部４８と、Ｉ／Ｆ５０と、メモリ５２と、プレビューデータ作成部５４とを備えている。
【００４２】
入稿データ編集部３８は、１つ又は複数の入稿データファイルに対して、プレフライト処理、色調整等の各種処理を行い、ページ単位の編集データを作成自在である。また、入稿データ編集部３８は、予め指定された綴じ方法や紙折り方法に応じて、ページ単位の編集データを面付けして面付けデータを作成する。また、校正印刷の結果を踏まえて、面付けデータの修整処理を行うこともできる。
【００４３】
画像処理部４０は、ページ単位の編集データ（ＰＤＬ形式）をラスタ形式データに変換するＲＩＰ（ラスタイメージングプロセッサ）機能を有する。
【００４４】
制御部４２は、ＣＰＵ等のプロセッサによって構成されてよい。制御部４２は、画像処理部４０、表示制御部４４、プレビューデータ作成部５４等の本体２６の各部を制御する。
【００４５】
表示制御部４４は、制御部４２の制御に従って、表示部２８を駆動制御する制御回路である。表示制御部４４が表示制御信号をＩ／Ｆ４６を介して表示部２８に出力することで、表示部２８が駆動する。これにより、表示部２８は、画像を表示することができる。
【００４６】
印刷制御部４８は、制御部４２の制御に従って、校正機２２を駆動制御する制御回路である。印刷制御部４８が印刷制御信号をＩ／Ｆ５０を介して校正機２２に出力することで、校正機２２が駆動する。これにより、校正機２２は、校正刷り２４を印刷することができる。
【００４７】
メモリ５２は、制御部４２が各部を制御するのに必要なプログラム及びデータ（例えば、プレビューデータ作成部５４の処理に必要なデータ）や編集データファイル等を記憶している。メモリ５２は、不揮発性のメモリ、ハードディスク等の記録媒体であってよい。
【００４８】
プレビューデータ作成部５４は、面付け情報取得部５６と、面付け処理部５８と、ＲＩＰ処理部６０と、ページ切出処理部６２と、ページ選択部６３と、表示状態変数取得部６４と、形状モデル決定部６６と、データ選択部６８と、３Ｄデータ作成部７０と、分割位置算出部７１とをさらに備える。
【００４９】
面付け情報取得部５６は、面付け作業を行う際に必要な各種情報（以下、面付け情報という。）を取得する。さらに、面付け情報取得部５６は、校正刷り２４の加工情報を取得する加工情報取得部７２と、面付けの際の画像配置情報を取得する画像配置情報取得部７４とを備える。
【００５０】
ここで、加工情報には、ページ総数、綴じ方法、紙折り方法等が含まれる。本明細書では、上記したページ総数、綴じ方法、紙折り方法等の組合せを勘案して面付けされる態様を総称して「面付けパターン」という。本製造時の面付けパターンには、例えば、本掛け（水平返し・垂直返し）、打返し、どん天返し等が挙げられる。また、パンフレット製造時の面付けパターンには、巻き三折り、巻き四折り、経本折り、巻き込み折り、混合折り、観音開き折り等が挙げられる。
【００５１】
また、画像配置情報には、版面・ページのサイズ、ブリード、のど、ノンブル等のレイアウト情報が含まれる。
【００５２】
面付け処理部５８は、面付けパターンの各ページ番号と、各ページデータとの対応付け情報（以下、ページ対応情報という。）を作成する。以下、各ページデータ及びページ対応情報をあわせて「面付けデータ」という。
【００５３】
ＲＩＰ処理部６０は、面付けデータをＲＩＰ処理してラスタ形式データ（以下、「ＲＩＰ後の面付けデータ」という。）に変換する。具体的には、ＲＩＰ処理部６０は、画像配置情報に基づいてページ単位の編集データを所定のデータ領域内にそれぞれ配置し、トンボ等のマーク情報を付加し、ラスタライズ処理を行うことで、ＲＩＰ後の面付けデータを得る。なお、上述した画像処理部４０が備えるＲＩＰ機能を用いて画像処理を行ってもよい。
【００５４】
ページ切出処理部６２は、ＲＩＰ後の面付けデータから複数のページ領域に応じた各ページデータを切り出す。ここで、ページデータとは、印刷物を実際に断裁して得られるページ毎の画像データである。
【００５５】
ページ選択部６３は、後述する３Ｄプレビュー画像上で、各ページデータの描画内容を表示するか否か（又は、表示しないか否か）を選択する。
【００５６】
表示状態変数取得部６４は、後述する仮想印刷物１０２（図４Ａ等参照）を３ＤＣＧで表示するための各種変数（以下、表示状態変数という。）を取得する。
【００５７】
形状モデル決定部６６は、印刷加工をしようとする印刷物の３Ｄ形状モデルを決定する。ここで、３Ｄ形状モデルとは、仮想印刷物１０２の加工形態の三次元モデルをいう。本明細書において、加工形態とは、紙面上に印刷された印刷物の最終的な加工形態を意味する。すなわち、加工形態には、綴じ加工を要するページ物のみならず、綴じ加工を要しない見開きパンフレット等の端物（１枚物）が含まれるものとする。
【００５８】
データ選択部６８は、複数のページデータの中から、仮想印刷物１０２上の所定のモデル領域に貼り付けるページデータを少なくとも１つ選択する。
【００５９】
３Ｄデータ作成部７０は、予め決定された３Ｄ形状モデルに従って仮想印刷物１０２の３Ｄプレビューデータを作成する。例えば、３Ｄデータ作成部７０は、輪郭や形状を表すプロットデータを決定し、該プロットデータを頂点とする格子状の領域内に画像データをマッピングするテクスチャマッピングを用いて、仮想印刷物１０２を表示するための３Ｄプレビューデータを作成する。テクスチャマッピングの手法は、公知のアルゴリズムを種々用いてもよい。
【００６０】
なお、複数のプロットデータ組を予め用意し、例えば１秒当たり３０フレームの時間間隔で、プロットデータを順次変えながら３Ｄプレビューデータを作成し、その都度表示させれば仮想印刷物１０２の動作表示となる。演算に用いるプロットデータは、メモリ５２に予めすべて記憶しておいてもよい。また、輪郭だけのプロットデータ（ワイヤフレーム）を用意し、補間演算や近似曲線演算を用いて、フレーム毎のプロットデータを算出してから演算を行ってもよい。
【００６１】
分割位置算出部７１は、大サイズのＰＤＬデータをページ毎に分割するための境界線の線数及び境界線の位置を算出する。
【００６２】
入力部３０は、面付け情報を入力する面付け情報入力部７８（分割位置調整部）と、表示状態変数を入力する表示状態変数入力部８０と、各種表示方法を選択する表示選択部８２（裁ち落とし要否選択部、階調表示選択部）とを備える。
【００６３】
画像編集装置２０は以上のように構成され、上述した各画像処理機能は、基本プログラム（オペレーティングシステム）上で動作する、メモリ５２に格納された応用プログラムを用いて実現することができる。
【００６４】
この実施形態に係る印刷システム１０は、基本的には以上のように構成されるものであり、次にその動作について図３のフローチャート及び図２の機能ブロック図を参照しながら説明する。
【００６５】
製版サイト１２（図１参照）内での作業工程は、ステップＳ１〜Ｓ８から構成されている。本実施の形態では、特に編集工程を中心に説明する。
【００６６】
先ず、作業者は、原稿データの入稿及び編集作業を行う（ステップＳ１）。画像編集装置２０は、クライアントにより入稿された各データファイルを編集し、得られた面付けデータをファイルとしてメモリ５２に記憶する。動作の詳細については後述する。
【００６７】
次いで、作業者は、ステップＳ１で作成された面付けデータに基づいて校正印刷を行う（ステップＳ２）。
【００６８】
画像処理部４０は、印刷指示を受けて、メモリ５２から取得した面付けデータ（ＰＤＬ形式）をラスタ形式データに変換する。そして、印刷制御部４８は、変換されたラスタ形式データを印刷制御信号に変換する。そして、校正機２２は、Ｉ／Ｆ５０を介して印刷制御信号を取得し、該印刷制御信号に基づいて図示しないメディア上にカラー・モノクロ印刷することで、校正刷り２４を得る。このとき、印刷サイト１４での印刷色に一致するように、公知のカラーマッチング技術を用いて校正刷り２４の色を調整してもよい。
【００６９】
次いで、作業者は、校正刷り２４を目視し、修整箇所がないか否かを確認する（ステップＳ３）。修整箇所が発見された場合、作業者は、校正刷り２４上に修整箇所及び修整内容を記入する。そして、必要に応じて面付けデータを修整する（ステップＳ４）。入稿データ編集部３８は、作業者の変更指示に応じて、面付けデータの内容を変更する。メモリ５２は、修整を終えたデータを新たな面付けデータファイルとして記憶する。
【００７０】
一方、ステップＳ３で発見した修整箇所について、修整作業がすべて完了した場合は、ステップＳ２に戻って、校正印刷を再度行う（ステップＳ２）。校正機
２２による印刷では、ステップＳ４で記憶された新たな面付けデータファイルを用いる。以下、作業者は、面付けデータの修整箇所がなくなるまでステップＳ２〜Ｓ４を繰り返す。そして、校正作業が終了すると、面付けデータファイルのデータ内容が確定する。
【００７１】
次いで、承認者は、３Ｄプレビューによる最終確認を行う（ステップＳ５）。ここで、承認者とは、ステップＳ１〜Ｓ４を行う作業者のみならず、該作業者に業務を発注したクライアントが含まれる。本実施の形態では、校正刷り２４ではなく、端末装置（例えば、画像編集装置２０）に接続された表示装置（例えば、表示部２８）に３Ｄプレビューを表示させて確認する。
【００７２】
あるいは、面付けデータファイルをデータベースサーバ１６に予めアップロードしてもよい。例えば、ＬＡＮ１８に接続された図示しない端末装置にプレビューデータ作成部５４（図２参照）の機能を備える応用ソフトウェアを予めインストールしておく。そうすると、承認者は、ＬＡＮ１８に接続された図示しない端末装置から前記面付けデータファイルをダウンロードし、３Ｄプレビューを閲覧することができる。あるいは、メール機能、ＦＴＰ、ファイルサーバ等を用いて、３Ｄビューワや３Ｄ表示用データの送受信を行ってもよい。
【００７３】
図４Ａは、プレビュー画面１００の初期状態を表す。プレビュー画面１００上には、折りが無く、表面を上向きにした状態の仮想印刷物１０２が表示されている。ポインタ１０４は、プレビュー画面１００上にある任意の地点（例えば左端部１０６）を指示している。この状態下で、キーボード３２の所定のキー（例えばシフトキー）を押下操作と併せてマウス３４のドラッグ操作（矢印Ａ方向）が行われると、左端部１０６がポインタ１０４に追随するように、仮想印刷物１０２の形状が変化する。すなわち、図４Ｂに示すように、折り線１０８を軸にして、左側の基材が表面側（内側）に折られた表示形態に遷移し、プレビュー画面１００ａ上には新たな仮想印刷物１０２ａが表示される。
【００７４】
続いて、図５Ａに示すように、プレビュー画面１００ａ上にある任意の地点（例えば下端部１１０）をポインタ１０４が指示する状態下で、マウス３４のスライド操作（矢印Ｂ方向）が行われると、下端部１１０がポインタ１０４に追随するように、仮想印刷物１０２ａの形状が変化する。すなわち、図５Ｂに示すように、仮想印刷物１０２ａの短辺側の中心線１１２を軸にして、仮想印刷物１０２ａ全体が９０度回動した表示形態に遷移し、プレビュー画面１００ｂ上には新たな仮想印刷物１０２ｂが表示される。
【００７５】
さらに、図５Ｂの状態から、マウス３４のスライド操作（矢印Ｂ方向）が行われると、中心線１１２を軸にして、仮想印刷物１０２ｂ（１０２ａ）全体が９０度（１８０度）回動した表示形態に遷移し、プレビュー画面１００ｃ上には新たな仮想印刷物１０２ｃが表示される。
【００７６】
同様に、図５Ａから、マウス３４のスライド操作（矢印Ｃ方向）が行われると、矢印Ｂ方向に平行する所定の軸を中心にして、仮想印刷物１０２ａ全体が回動する。すなわち、マウス３４のスライド操作（斜め方向）が行われると、矢印Ｂ方向、矢印Ｃ方向について回動量をそれぞれ算出し、その合成量だけ仮想印刷物１０２ａ全体が回動する。
【００７７】
また、プレビュー画面１００の上方部に、アイコン群１１４が配設されている。アイコン群１１４の操作に応じて、仮想印刷物１０２の表示態様を即時に変更自在である。表示態様として、例えば、表示倍率や位置・姿勢等の観察態様のみならず、紙厚（撓み度合い）やページ表面の光沢度等の物理特性が挙げられる。
【００７８】
さらに、アイコン群１１４の操作に応じて、仮想印刷物１０２の表示内容を即時に選択自在である。表示内容として、例えば、コントーン表示又は分版表示の選択、裁ち落とし領域の表示又は非表示の選択、あるいは閲覧可能なページ範囲の選択等が挙げられる。
【００７９】
このようにして、承認者は、実際に印刷加工しようとする印刷物の最終形態に近い状態下で、印刷内容の確認作業ができる。
【００８０】
図３に戻って、ステップＳ６の最終確認の結果、ＯＫでない旨の判断がなされた場合は、面付けデータファイルの再編集又は再修整を行う（ステップＳ７）。その後、変更箇所が軽微である場合はそのまま再確認を行ったり（ステップＳ５）、必要に応じて校正印刷等を再度行ったりする（ステップＳ２〜Ｓ４）。このように、次の印刷工程への移行の承認が得られるまで、ステップＳ２〜Ｓ７を繰り返す。
【００８１】
一方、ステップＳ６の最終確認の結果、ＯＫである旨の判断がなされた場合は、作業者は、データファイルをデータベースサーバ１６にアップロードする（ステップＳ８）。制御部４２は、メモリ５２に記憶した最新の面付けデータファイルを製版データファイルとして、Ｉ／Ｆ３０、ＬＡＮ１８を介して、データベースサーバ１６側に送信する。
【００８２】
最後に、作業者は、印刷工程を行う（ステップＳ９）。印刷サイト１４は、データベースサーバ１６が保持する製版データファイルをダウンロードする。その後、画像処理装置により所望の画像処理がなされ、プレートセッタにより刷版が作成され、オフセット印刷機によりカラー画像が印刷される。あるいは、刷版を作成することなく、デジタル印刷機を用いて直接印刷してもよい。
【００８３】
以上のようにして、入稿から印刷までの印刷フローの全工程が終了する。
【００８４】
続いて、図３の入稿・編集ステップ（ステップＳ１）における画像編集装置２０の動作について、図６のフローチャートを参照しながら詳細に説明する。
【００８５】
先ず、各データファイルを入力する（ステップＳ１１）。
【００８６】
図２に示すように、クライアントによる入稿指示に従って、図示しない端末装置は、ＬＡＮ１８を介して、所望の入稿データファイルを画像編集装置２０側に供給する。そして、画像編集装置２０は、Ｉ／Ｆ３６を介して入稿データファイルをメモリ５２内に一旦記憶する。
【００８７】
なお、入稿データファイルは、任意のファイル形式である。例えば、ＰＤＦ、ＰＳ、ＥＰＳ（Ｅｎｃａｐｓｕｌａｔｅｄ  ＰＳ；登録商標）、ＴＩＦＦのみならず、ＡｄｏｂｅＳｙｓｔｅｍｓ社のＩｎＤｅｓｉｇｎ（登録商標）を含む各種アプリケーションデータを用いてもよい。この場合は、例えばＰＤＬ形式に一旦変換し、ファイル形式を統一した後に編集してもよい。
【００８８】
次いで、面付けパターンを選択する（ステップＳ１２）。図７〜図１０に例示する選択画面１２０から、種々の面付けパターンが選択可能である。
【００８９】
図７に示すように、選択画面１２０の略全面に表示欄１２２が設けられており、種々の面付けパターンが模式的に表示されている。
【００９０】
図８は、図７に示す表示欄１２２（破線で囲む矩形領域）の一部拡大説明図である。ハッチングで示す領域１２４は、背景１２６及びパターン１２８とは異なる色で着色されている。パターン１２８（面付けの名称「Ｆ６−４」）は領域１２４に囲繞されており、現在選択されていることを表す。
【００９１】
パターン１２８が有する各矩形領域１３０は各ページに相当するものであり、矩形領域１３０内の略中央に示される算用数字はページ番号を表す。パターン１２８上に示される２本の太線１３２は折り線である。なお、実線で示される折り線は山折りを表すとともに、破線で示される折り線は、谷折りを表す。太線１３２の近傍にある白抜き数字１３４は、紙折りの順番を表している。
【００９２】
図７に戻って、選択画面１２０には、作業者の利便性を考慮して、面付けパターンの選択支援機能が種々設けられている。
【００９３】
例えば、プルダウンメニュー１３６、１３８の設定値を変更することで、水平ページ数（又は垂直ページ数）が前記設定値である面付けパターンのみが表示欄１２２に表示される。これにより、表示欄１２２に表示されるパターン数を予め絞り込むことができる。
【００９４】
また、ラジオボタン１４０のいずれかを選択することで、表示欄１２２の表示態様が種々変更される。具体的には、ラジオボタン１４０ａを選択すると、表示欄１２２には各面付けパターンの表面のみが表示される。また、ラジオボタン１４０ｂを選択すると、裏面のみが表示される。さらに、ラジオボタン１４０ｃを選択すると、各面付けパターンの表面及び裏面が一対でして表示される。これにより、仕上がりを確認しながら選択できる。
【００９５】
ＯＫボタン１４２のクリック操作に応じて、面付け情報入力部７８は、面付けパターンの種類を本体２６側に入力する。その後、メモリ５２は、面付け情報入力部７８から取得した面付けパターンの種類を記憶する。ここで、メモリ５２は、各面付けパターンに応じた水平ページ数、垂直ページ数、ページ番号、折り線等の各加工種情報を予め記憶している。
【００９６】
なお、作業者により、紙折り方法（折り線の位置、折り方向）や綴じ方法等をデザインし、独自の面付パターンとして保存できるようにしてもよい。このとき、本体２６は、保存された面付けパターンに基づいてページ番号との対応関係を算出し、得られたページ対応情報をメモリ５２に記憶してもよい。
【００９７】
次いで、ページ単位の編集データを面付けパターンに応じて配置する（ステップＳ１３）。
【００９８】
図１１に示すように、配置画面１５０は、左側の第１表示欄１５２と、中央の第２表示欄１５４と、右側の第３表示欄１５６との３つの欄に分割されている。
【００９９】
第１表示欄１５２には、上から順番に、入力したデータファイルの属性情報１５８と、複数のサムネイル１６０とが並んで表示されている。属性情報１５８は、ファイル形式を模式化したアイコン１６２及び拡張子を含めたファイル名１６４を備えている。図１１には、「Ｆｉｌｅ１．ｐｄｆ」を構成する１〜４ページ目のサムネイル１６４ａ〜１６４ｄがそれぞれ表示されている。サムネイル１６４ａは、ハッチングで示した領域１６６に囲繞されており、現在選択されていることを表す。なお、ボタン１６８のクリック操作に応じて、入力するデータファイルを新たに追加することができる。
【０１００】
第２表示欄１５４には、複数の画像表示欄１７０ａ〜１７０ｄが上下方向に並んで表示されている。画像表示欄１７０ａ〜１７０ｄには、１〜４ページ目の面付け画像が表示されている。ボタン１７４のクリック操作等に応じて、面付けしようとするページを新たに追加することができる。
【０１０１】
画像表示欄１７０ａ〜１７０ｄの初期状態には余白画像が表示されている。マウス３４の所定の操作（例えば、サムネイル１６４ａの位置から画像表示欄１７０ａの位置までのドラッグ・アンド・ドロップ操作）に応じて、面付けデータの第１ページと「Ｆｉｌｅ１．ｐｄｆ」の第１ページとが対応付けられる。このとき、画像表示欄１７０ａに表示される画像は、余白画像からサムネイル１６４ａに変わる。以下、同様に、面付けデータの各ページについて、所望のデータファイル及びページと対応付けられる。
【０１０２】
第３表示欄１５６には、面付けパターンの模式図、すなわち図７及び図８で選択したパターン１２８が表示される。小欄１７６には表面のページ配置及びページ番号がそれぞれ表示されており、小欄１７８には裏面のページ配置及びページ番号がそれぞれ表示されている。これにより、面付けパターンの種類を確認しながら面付け作業ができる。
【０１０３】
そして、マウス３４の操作に応じて、面付け情報入力部７８は、ページ対応情報を本体２６側に入力する。そして、メモリ５２は、入力されたページ対応情報を記憶する。
【０１０４】
次いで、図６に戻って、仮想印刷物１０２の３Ｄプレビューを実行する旨の指示があったか否かを判別する（ステップＳ１４）。実行指示がなかった場合は、ステップＳ１を終了する。一方、実行指示があった場合は、３Ｄプレビューを実行する（ステップＳ１５）。
【０１０５】
このステップＳ１５について、図１２のフローチャートを参照しながら詳細に説明する。
【０１０６】
先ず、面付けデータに対してＲＩＰ処理を行う（ステップＳ１５１）。
【０１０７】
面付けデータの作成に先立ち、図２に示す面付け情報取得部５６は、メモリ５２から面付け情報を取得する。具体的には、加工情報取得部７２はメモリ５２から加工情報を取得するとともに、画像配置情報取得部７４はメモリ５２から画像配置情報を取得する。
【０１０８】
そして、面付け処理部５８は、ページ単位の編集データをメモリ５２から取得するとともに、加工情報及び画像配置情報を面付け情報取得部５６から取得し、これらのデータ組を面付けデータとして作成する。
【０１０９】
そして、ＲＩＰ処理部６０は、面付け処理部５８から取得した面付けデータをＲＩＰ処理し、ＲＩＰ後の面付けデータを得る。具体的には、以下に示す画像処理を行う。
【０１１０】
先ず、ＲＩＰ処理部６０は、画像配置情報を参照しながら、イメージデータ（中間データ）内での第１ページの画像領域を決定する。そして、ＲＩＰ処理部６０は、ページ対応情報を参照しながら、第１ページに対応付けられたページ単位の編集データを取得する。そして、ＲＩＰ処理部６０は、イメージデータ内の第１ページの画像領域に前記編集データを埋め込む。以下、同様にして、ＲＩＰ処理部６０は、すべてのページに対して配置を行う。そして、ＲＩＰ処理部６０は、イメージデータの所定の位置に、見当合わせ用のマーク（センタートンボ、角トンボ）を付与する。例えば、図１３に示すような描画内容のイメージデータが得られる。
【０１１１】
最後に、ＲＩＰ処理部６０は、得られたイメージデータに対してラスタライズ処理を行うことで、ＲＩＰ後の面付けデータを得る。なお、データ形式は、ビットマップ等の多階調画像でもよいし、スクリーニング処理後の２値画像でもよい。例えば、ＣＭＹＫからなる４つの色版に変換する場合は色版毎の面付けデータを得る。
【０１１２】
次いで、ＲＩＰ後の面付けデータから各ページデータを切り出す処理を行う（ステップＳ１５２）。ページ切出処理部６２は、ＲＩＰ処理部６０から取得したＲＩＰ後の面付けデータから複数のページ領域に応じた各ページデータを切り出す。すなわち、印刷物の製本工程における断裁と同様に、トンボの位置に合わせて各ページデータを電子的に切り出す。なお、図１４は、「観音開き折り」の表面側から第３ページのページデータを切り出した状態を表している。
【０１１３】
また、３Ｄプレビュー画像として裁ち落とし領域を併せて表示するか否かを選択できるようにしてもよい。このとき、作業者の操作に応じて、表示選択部８２は、裁ち落とし領域の要否に関する選択情報を本体２６側に予め入力しておく。ページ切出処理部６２は、この選択結果に応じて、裁ち落とし領域を含めて／含めないで各ページデータを切り出す。これにより、作業者の嗜好に応じたページデータの描画内容を確認することができる。裁ち落とし領域として、例えば、トリム（仕上がり）、ブリード（裁ち代）やクリープ（中綴じの際、各折本の用紙の厚みと折りに必要なスペース）等が挙げられる。
【０１１４】
ここで、ページ切出処理部６２は、裁ち落とし領域の要否に関わらず前記裁ち落とし領域を含めて各ページデータを切り出すようにしてもよい。このとき、前記選択結果に応じて裁ち落とし領域を含めて／含めないで各ページデータを加工（後述する３Ｄプレビューデータを作成）すればよい。このようにすれば、裁ち落とし領域の要否の設定変更の都度、各ページデータを新たに切り出す必要がなくなる。
【０１１５】
さらに、入稿されたＰＤＬデータのサイズが大きい場合、例えば、図１３に示す表面側の第５、第２、及び第３ページを跨ぐ場合には、ページ切出処理部６２は、面付け情報に従って複数のページに分割して切り出すようにしてもよい。
【０１１６】
図１５は、ＰＤＬデータの分割設定画面の一例を表す図である。設定画面２００の表示欄２０２には、ＰＤＬデータが表す可視画像２０４（「Ｌａｒｇｅ  Ｐａｇｅ」と表記されている。）が表示されている。可視画像２０４の領域を左右方向に分割する左端線２０６、境界線２０８、境界線２１０、及び右端線２１２がそれぞれ破線で表示されている。可視画像２０４の下方には、ページ番号を表す文字列２１４が表示されている。文字列２１４は、左端線２０６と境界線２０８との間に表示された「Ｐａｇｅ３」からなる文字列２１６と、境界線２０８と境界線２１０との間に表示された「Ｐａｇｅ２」からなる文字列２１８と、境界線２１０と右端線２１２との間に表示された「Ｐａｇｅ５」からなる文字列２２０とからなる。
【０１１７】
設定画面２００の表示に先立ち、分割位置算出部７１は、分割しようとするＰＤＬデータを取得した後、データ領域内での見当合わせ用のマーク（トンボ等）の各配置位置を検出する。この検出には、テンプレートマッチング等の公知のアルゴリズムを適用できる。そして、分割位置算出部７１は、検出された各マークの配置に基づいて、左端線２０６、境界線２０８、境界線２１０、及び右端線２１２の線数及び位置を決定する。あるいは、分割位置算出部７１は、ＰＤＬデータのトリム領域（左端線２０６、右端線２１２）を検出し、面付け情報取得部５６から取得した１面当たりのページ数（図８例では３ページ分）に基づいて、トリム領域を等分割するように境界線２０８、２１０を算出してもよい。
【０１１８】
表示制御部４４は、分割位置算出部７１から取得した線数及び位置に応じて境界線２０８、２１０等を可視画像２０４に重畳して表示欄２０２に表示させる。これにより、作業者は、ＰＤＬデータをページ毎に分割する位置を一見して把握できる。
【０１１９】
そして、入力部３０を介して、ページ毎の分割位置の初期値を変更できるようにしてもよい。作業者によるマウス３４の操作に応じて、境界線２０８の位置を矢印Ｄ１方向に移動自在であるとともに、境界線２１０の位置を矢印Ｄ２方向に移動自在である。そして、面付け情報入力部７８を介して本体２６側に入力した調整値をメモリ５２に記憶しておくとともに、必要に応じて面付け情報取得部５６は前記調整値をメモリ５２から取得すればよい。これにより、作業者は、ＰＤＬデータをページ毎に分割する位置を容易に微調整できる。
【０１２０】
また、現在設定されている境界線２０８、２１０の分割位置を矢印２２２、２２４に固定表示することで、作業者は現在の設定値を参照しながら作業できる。
【０１２１】
次いで、３Ｄ形状モデルを決定する（ステップＳ１５３）。
【０１２２】
図１６は、端物の３Ｄ形状モデル例の概略斜視図である。例えば、巻き三折り、巻き四折り、経本折り、巻き込み折り、混合折り、観音開き折りの６通りの紙折り方法についての一状態を表している。この３Ｄ形状モデルは、見開き状態、折られた状態、その中間状態等の種々の形態もさらに備えている。
【０１２３】
通常は、実際に印刷しようとする印刷物に対応させるべく、ステップＳ２（図３参照）で選択したものと同一の３Ｄ形状モデルに自動又は手動で決定する。観察者の嗜好に応じて、３Ｄ形状モデルも種々変更できるようにしてもよい。例えば、様々な面付けパターンでプレビューを行うため、ステップＳ１２（図６参照）で選択したパターンと異なるパターンを選択できるようにしてもよい。
【０１２４】
なお、作業者により、紙折り方法や綴じ方法等を独自にデザインした場合、形状モデル決定部６６は、新たに作成された面付けパターンに基づいて３Ｄ形状モデルを構築してもよい。
【０１２５】
次いで、図１２に戻って、表示状態変数の初期値を取得する（ステップＳ１５４）。表示状態変数取得部６４は、初期値として、仮想印刷物１０２の観察態様（表示倍率や位置・姿勢等）、物理特性（紙厚や光沢度等）や表示対象であるページ番号等を取得する。
【０１２６】
次いで、仮想印刷物１０２の形状を決定する（ステップＳ１５５）。３Ｄデータ作成部７０は、形状モデル決定部６６から取得した３Ｄ形状モデルと、表示状態変数取得部６４から取得した観察態様（特に姿勢）及び物理特性（特に紙厚）とに基づいて、仮想印刷物１０２の現在の形状（骨格）を決定する。例えば、３Ｄデータ作成部７０は、複数組のプロットデータのうち、現在の姿勢に応じたプロットデータを決定する。
【０１２７】
例えば、所定の本の３Ｄ形状モデルに基づいて、図１７に示すような３Ｄ形状が得られる。このように、基材（用紙）の撓み具合を再現し可視化することで、作業者は、印刷加工の最終形態を容易に想起することができる。
【０１２８】
次いで、テクスチャマッピング処理を行う（ステップＳ１５６）。
【０１２９】
画像処理に先立ち、データ選択部６８は、ページ切出処理部６２から各ページに相当する複数のページデータを取得する。そして、データ選択部６８は、表示状態変数取得部６４から取得した表示状態変数（表示中のページ番号）を参照して、前記複数のページデータの中から少なくとも１つのページデータを選択する。
【０１３０】
そして、３Ｄデータ作成部７０は、形状モデル決定部６６から取得した３Ｄ形状モデルを必要に応じて調整する。例えば、３Ｄデータ作成部７０は、面付け情報取得部５６から取得した面付け情報を参照しながら、３Ｄ形状モデルが所定の画像領域内（所定の画素数）で表現できるようにサイズを微調整する。
【０１３１】
例えば、面付けパターンが「Ｆ６−４」（図７及び図８参照）の場合、太線１３２は、表面側の第２ページと第３ページとの間、第２ページと第５ページとの間にそれぞれ設けられている。パターン１２８の表記上ではページのサイズはすべて同一であるが、実際は、面付け情報に応じて各ページのサイズを自在に設定可能である。そこで、各ページのサイズ（横サイズ、縦サイズ）に基づいて３Ｄ形状モデルの全体サイズを試算し、リスケーリングする。かかる場合に、例えば、仮想印刷物１０２の位置・姿勢が任意の状態であっても所定の画像領域内に収まり、且つ、３Ｄ形状モデルの最大寸法となるように決定することが好ましい。そうすれば、作業者は、可能な限り大きなサイズで仮想印刷物１０２を閲覧できる。
【０１３２】
そして、３Ｄデータ作成部７０は、ステップＳ１５５で決定した仮想印刷物１０２の形状に、データ選択部６８から取得したページデータをマッピングして３Ｄプレビューデータを作成する。このとき、３Ｄデータ作成部７０は、表示しようとするページの画像領域を抽出し、抽出された画像領域に形状に合うようにマッピング処理を行い、各ページデータを所定の領域内に貼り付ける。このマッピング手法は、公知のアルゴリズムを種々用いることができる。そして、メモリ５２は、必要に応じて、３Ｄデータ作成部７０で作成した３Ｄプレビューデータを一時的に記憶する。
【０１３３】
なお、数百ページからなる本の３Ｄプレビューを行う場合、ページデータの総量は膨大であるので、演算処理速度に影響を及ぼす場合がある。そこで、ページ選択部６３により、切り出すページデータを予め選択させ、３Ｄプレビューに用いるページ（すなわち、ページ全体のうち一部のページ）の数を減らしてもよい。ページの選択方法は、例えば、開始ページ、終了ページ、又はページ数のうちいずれか２つの指定による。複数の折り丁で製本する場合は、通算ページ単位、折り丁毎のページ単位、又はいずれか１つの単位で選択してもよい。これらの選択方法は、作業者に要求に応じて自在に変更できることはいうまでもない。
【０１３４】
例えば、ページ総数が２５６ページ（６４ページの折り丁が４冊）である場合、全ページを選択のみならず、第１〜第１００ページ、あるいは第１０１〜第２００ページ等のように、１００ページ分のページデータを選択してもよい。また、第１折り（第１〜第６４ページ）や、第２折りの最初・最後の３ページ（第６５〜６７ページ、第１２６〜第１２８ページ）等のように選択してもよい。さらに、見開き右ページのみ、左ページのみを選択できるようにしてもよい。さらにまた、ページ選択部６３は、実際のページデータを表示させるページを選択してもよいし、表示させないページを選択してもよい。
【０１３５】
このとき、３Ｄデータ作成部７０は、ページ選択部６３により選択されなかった残余のページに関しては、余白データとして３Ｄプレビューデータを作成してもよい。あるいは、落丁ページであると作業者に誤認をさせないように、余白データに代替して、現在のページデータの内容が非表示である旨を識別可能とするマークを付してもよい。
【０１３６】
また、綴じ方法は平綴じに限られることなく、無線綴じ、中綴じ、袋綴じ、かがり綴じに適用してもよい。
【０１３７】
さらに、コントーン表示又は分版表示のいずれか一方の階調表現方法を選択し、３Ｄプレビュー画像を表示できるようにしてもよい。このとき、作業者による入力部３０の操作に応じて、表示選択部８２は、コントーン表示又は分版表示の選択結果を予め本体２６側に入力しておく。また、作業者による入力部３０の操作に応じて、表示選択部８２は、分版表示に用いるＣ版、Ｍ版、Ｙ版、Ｋ版又は特色版のうち少なくとも１つの色版の選択結果を予め本体２６側に入力しておく。なお、特色とは、印刷画像上での色再現を高める色（ＣＭＹＫを除く。）であり、例えば、ＲＧＢ、ピンク色、オレンジ色、肌色、金色、銀色が含まれる。要するに、ＣＭＹＫを用いてもなお再現できない色を補完するための補助的な単色群である。３Ｄデータ作成部７０は、これらの選択結果に応じて、コントーン表示又は分版表示に適した色変換処理を行う。
【０１３８】
コントーン表示が選択された場合、３Ｄデータ作成部７０は、各色に分版された３Ｄプレビューデータに対してデスクリーニング処理を行い、多階調データ（例えば、８ビットＲＧＢ）の３Ｄプレビューデータに変換する。一方、分版表示が選択された場合、特に、複数の色版（例えば、Ｃ版及びＭ版）が選択された場合、３Ｄデータ作成部７０は、前記複数の色版を重畳した３Ｄプレビューデータを作成する。これにより、スクリーニング処理に起因するモアレの有無をあわせて確認できる。
【０１３９】
次いで、仮想印刷物１０２の３Ｄプレビュー画像を表示する（ステップＳ１５７）。
【０１４０】
表示制御部４４は、メモリ５２から取得した３Ｄプレビューデータを、プレビュー画面１００（図４Ａ等参照）上の所定の位置に配置する。そして、表示制御部４４は、Ｉ／Ｆ４６を介して、表示制御信号を表示部２８側に出力する。そして、図４Ａに示すプレビュー画面１００は、表示部２８に表示される。このとき、表示状態変数は初期値であるので、仮想印刷物１０２の初期状態が表示されている。図４Ａの仮想印刷物１０２は、折りが無く、且つ、表面が上に向いた状態である。
【０１４１】
次いで、３Ｄプレビューを継続するか否かを判別する（ステップＳ１５８）。継続する場合は、仮想印刷物１０２の表示状態変数を新たに取得する（ステップＳ１５９）。マウス３４の所定の操作により、表示状態変数の値が更新されるとき、表示状態変数入力部８０は、その値を本体２６側に入力する。そして、表示状態変数取得部６４はその変数の値を取得する。
【０１４２】
次いで、ステップＳ１５５に戻って、画像編集装置２０は、ステップＳ１５５〜Ｓ１５８の動作を繰り返す。これにより、プレビューデータ作成部５４は、表示状態変数の変更の都度にレンダリング処理を行い、仮想印刷物１０２の新たな形態を即時に表示部２８に表示させることができる。すなわち、マウス３４の操作に応じて、仮想印刷物１０２のページを捲ったり、仮想印刷物１０２を回転・反転させたりすることができる（図４Ａ〜図５Ｃ参照）。
【０１４３】
なお、図３に示す３Ｄプレビュー（ステップＳ５）は、図１２のフローチャートに示すステップＳ５１〜Ｓ５９の手順に従って、上記と同様に行うことができる。
【０１４４】
以上のように、ラスタ形式データから複数のページ領域に応じた各ページデータを切り出し、印刷物の三次元形状モデルのうち前記複数のページ領域に対応する各モデル領域上に、切り出された各前記ページデータをマッピングして前記印刷物の三次元プレビューデータを作成するようにしたので、実際に印刷しようとする版下データ及び加工形態に近い条件下でプレビュー画像を作成し表示することが可能であり、印刷物の加工形態を精度良く予測できる。これにより、校正作業の効率が飛躍的に向上する。
【０１４５】
なお、この発明は、上述した実施形態に限定されるものではなく、この発明の主旨を逸脱しない範囲で自由に変更できることは勿論である。
【０１４６】
例えば、校正機２２に代替して、３Ｄプレビュー画像（図４Ａの仮想印刷物１０２）を参照しながら、校正作業を行うようにしてもよい。すなわち、図６の３Ｄプレビュー表示（ステップＳ１５）を必ず実行することで、図３の校正印刷（ステップＳ２）が不要になる。
【符号の説明】
【０１４７】
１０…印刷システム                        １２…製版サイト
１４…印刷サイト                          １８…ＬＡＮ
２０…画像編集装置                        ２２…校正機
２４…校正刷り                            ２６…本体
２８…表示部                              ３０…入力部
３８…入稿データ編集部                    ４０…画像処理部
４２…制御部                              ４４…表示制御部
４８…印刷制御部                          ５２…メモリ
５４…プレビューデータ作成部              ５６…面付け情報取得部
５８…面付け処理部                        ６０…ＲＩＰ処理部
６２…ページ切出処理部                    ６３…ページ選択部
６４…表示状態変数取得部                  ６６…形状モデル決定部
６８…データ選択部                        ７０…３Ｄデータ作成部
７２…加工情報取得部                      ７４…画像配置情報取得部
７８…面付け情報入力部                    ８０…表示状態変数入力部
８２…表示選択部                          １００（ａ〜ｃ）…プレビュー画面
１０２（ａ〜ｃ）…仮想印刷物              １２０…選択画面
１５０…配置画面                          ２００…設定画面
【図１】
0005592161.tif 000002
【図２】
0005592161.tif 000003
【図３】
0005592161.tif 000004
【図４】
0005592161.tif 000005
【図５】
0005592161.tif 000006
【図６】
0005592161.tif 000007
【図７】
0005592161.tif 000008
【図８】
0005592161.tif 000009
【図９】
0005592161.tif 000010
【図１０】
0005592161.tif 000011
【図１１】
0005592161.tif 000012
【図１２】
0005592161.tif 000013
【図１３】
0005592161.tif 000014
【図１４】
0005592161.tif 000015
【図１５】
0005592161.tif 000016
【図１６】
0005592161.tif 000017
【図１７】
0005592161.tif 000018